(57)【要約】【課題】  庭やベランダスペースが十分でない家でも、室内で食材が育てられ、自分で育てた安全安心な食材を確保することができ、植物の成長を見る喜びを感じることのできる流し台を提供する。【解決手段】  浄水器９，１２を備えた上部シンク５，下部シンク１１と、シンク５，１１から浄水器９，１２を通して排出された水を溜める中水タンク１５と、透明な天板３と、天板３の下方に設けられたフレーム状の棚２ｂ，２ｂと、棚２ｂ，２ｂに配設された植物栽培用のプランター２１，２１，２１とを備えた流し台であって、中水タンク１５内の水を中水汲み上げ供給機１７で吸い上げて、供給水路２０を通し、植物栽培用の複数のプランター２１，２１，２１に供給できるように構成する。【選択図】  図４
2006102276.tif 000002
【特許請求の範囲】
【請求項１】
浄水器を備えた少なくとも１つ以上のシンクと、該シンクから該浄水器を通して排出された水を溜めるタンクと、透明な天板と、該天板の下方に設けられたフレーム状の棚と、該棚に配設された植物栽培用のプランターとを備えた流し台であって、前記タンク内の水を前記植物栽培用のプランターへ供給する水路が設けられていることを特徴とする流し台。
【請求項２】
前記フレーム状の棚は、パイプフレームからなっており、前記水路が前記パイプフレーム内に設けられていることを特徴とする請求項１に記載の流し台。
【請求項３】
前記植物栽培用のプランターは前記棚に着脱可能に配設されており、該プランターには、該プランターを前記棚から取り外すと閉止され、前記棚へ取り付けると開く弁が設けられていることを特徴とする請求項１または請求項２に記載の流し台。
【請求項４】
生ゴミから抽出した栄養素を、前記植物栽培用のプランターへ供給するエキス供給路が設けられていることを特徴とする請求項１ないし請求項３に記載の流し台。
【請求項５】
前記パイプフレームには植物育成用の光源が設けられていることを特徴とする請求項１ないし請求項４に記載の流し台。
【発明の詳細な説明】
【技術分野】
【０００１】
本発明は、流し台に関するものである。
【背景技術】
【０００２】
従来、特許文献１に開示されているように、カウンター上面の凹溝に水を供給し貯留することにより、凹溝で水耕栽培をすることができる流し台が存在する。
【特許文献１】実公平８−９４７号公報
【発明の開示】
【発明が解決しようとする課題】
【０００３】
従来の流し台では、上面に形成された狭い凹溝内でのみ、植物の栽培が可能であり、僅かな植物の栽培しかできないという問題点があった。
【課題を解決するための手段】
【０００４】
本発明は上記従来の問題点に鑑み案出したものであって、排水を有効に利用して十分な量の植物を育成することができ、安全な食材が確保できる流し台を提供するものであり、その請求項１は、浄水器を備えた少なくとも１つ以上のシンクと、該シンクから該浄水器を通して排出された水を溜めるタンクと、透明な天板と、該天板の下方に設けられたフレーム状の棚と、該棚に配設された植物栽培用のプランターとを備えた流し台であって、前記タンク内の水を前記植物栽培用のプランターへ供給する水路が設けられていることである。
【０００５】
また請求項２は、前記フレーム状の棚は、パイプフレームからなっており、前記水路が前記パイプフレーム内に設けられていることである。
【０００６】
また請求項３は、前記植物栽培用のプランターは前記棚に着脱可能に配設されており、該プランターには、該プランターを前記棚から取り外すと閉止され、前記棚へ取り付けると開く弁が設けられていることである。
【０００７】
また請求項４は、生ゴミから抽出した栄養素を、前記植物栽培用のプランターへ供給するエキス供給路が設けられていることである。
【０００８】
また請求項５は、前記パイプフレームには植物育成用の光源が設けられていることである。
【発明の効果】
【０００９】
本発明は、浄水器を備えた少なくとも１つ以上のシンクと、シンクから浄水器を通して排出された水を溜めるタンクと、透明な天板と、天板の下方に設けられたフレーム状の棚と、棚に配設された植物栽培用のプランターとを備えた流し台であって、タンク内の水を植物栽培用のプランターへ供給する水路が設けられていることにより、シンク内で使用した水を浄水器で浄化してタンクに溜め、このタンク内の水をプランターへ導入して、プランターで良好にカイワレ大根，ホウレンソウ等の食材となる植物を育てることができ、庭やベランダスペースが十分でない家でも、室内で食材を育てることができて、安心安全な食材が確保でき、しかも、透明な天板を通して、下方のプランター内の植物の育成を見ることができ、植物の成長を日常生活の中で見ることで喜びを感じることができ、また水の節約にもなる。
【００１０】
また、フレーム状の棚は、パイプフレームからなっており、水路がパイプフレーム内に設けられていることにより、水路が露出することなく、すっきりとした外観構造となる。
【００１１】
また、植物栽培用のプランターは棚に着脱可能に配設されており、プランターには、プランターを棚から取り外すと閉止され、棚へ取り付けると開く弁が設けられていることにより、プランターを持ち上げて外す際に、弁が閉止して内部の水等がこぼれることがなく、プランターの出し入れが容易なものとなる。また適宜プランターを外して、植物の入れ替え等を行うことができるものとなる。
【００１２】
また、生ゴミから抽出した栄養素を、植物栽培用のプランターへ供給するエキス供給路が設けられていることにより、キッチン使用により排出された野菜等の生ゴミを利用して、この生ゴミから抽出した栄養素を良好にプランター内で育成される植物に供給し、植物の育成を図ることができ、肥料を購入する必要もなく、また生ゴミ排出の手間を省くこともできるものとなる。
【００１３】
また、パイプフレームには植物育成用の光源が設けられていることにより、太陽光が不足する場合でも、光源からの光で良好にプランター内の植物を育成させることができ、住宅内での流し台の設置場所の自由度が向上するものとなる。
【実施例】
【００１４】
以下、本発明の実施例を図面に基づいて説明する。
図１は、流し台の斜視構成図であり、図２は、流し台の平面図、図３は、流し台の正面構成図である。また、更に図４では、内部の配管構成を要部拡大図で示しており、また図５では、流し台の骨組みを構成するパイプフレームの斜視図を示している。
図において、流し台１は、例えばベランダに近く、床面が土間となっている場所等に設置することができるものであり、ベランダからの光が入り易く、また床面が濡れても大丈夫な場所に設置されるものである。
【００１５】
この流し台１は、図５に示すようなパイプにより構成されたパイプフレーム２からなる棚が骨格となっており、パイプフレーム２は、縦方向の、例えば直径２５ｍｍ程度の複数の垂直パイプ２ａと、この垂直パイプ２ａに対し直交状に連結された複数段の、例えば直径１５ｍｍ程度の水平パイプ２ｂ，２ｂ，２ｂで構成されている。
なお、下端側及び図示右端上方側等の部位では、太い水平パイプ２ｂが用いられている。
【００１６】
このようなパイプフレーム２の上面に、透明天板３が横設され、透明天板３の一部には、埋め込み状にコンロ４が設けられており、このコンロ４の操作スイッチと反対側の上面には、煙を吸い込むための吸煙口４ａが横方向にスリット状に開口されている。
また、このコンロ４と反対側の透明天板３の端部には、外側へ突出状にして上部シンク５が設けられており、この上部シンク５内で野菜等を洗うことができるものである。
上部シンク５内には、内周側から略中央付近まで延びてコンポストボックス６が形成されており、このコンポストボックス６の上面には、開閉可能に蓋６ａが設けられており、コンポストボックス６の先端側には、上部シンク５の略中央部で立ち上がる蛇口７が立設され、蛇口７には操作用のハンドル７ａが設けられている。
【００１７】
また、蛇口７の下方側の上部シンク５の底面には、排水口８が形成されており、この排水口８の下方には、上部シンク５から一体状に下方へ凹んで凹部５ａが形成されている。
なお、コンポストボックス６内には、例えばコンポストボックス６内に投入される野菜等の生ゴミを裁断或いは圧縮プレスして、野菜等から栄養素（エキス）を搾り出すことのできる装置が内装されている。
【００１８】
また、上部シンク５の排水口８の下方の凹部５ａ内には、ろ過フィルター９ａを備えた浄水器９が内装されており、また更に、ポンプで構成される中水汲み上げ供給機１７が設けられている。
上部シンク５の側面下部には、流出口１０が設けられており、前記浄水器９と流出口１０は水路１９で連通されている。
この流出口１０の下方には、下部タンク１１が配置され、下部タンク１１の底側にも、ろ過フィルター１２ａを備えた浄水器１２が設けられて、この浄水器１２の底面に開口された落水口１２ｂより下方へ排水することができ、この排水を受け止めるために、下部シンク１１の下部には、下部シンク１１と連続状に錐形状の中水タンク１５が設けられて、この中水タンク１５内に排水を溜めることができるように構成されている。
【００１９】
なお、中水タンク１５内には、床面からパイプ状の支柱１３が立設されており、この支柱１３の上面に下部シンク１１が取り付けられて支持されている。
なお、支柱１３内には、前記浄水器１２の下面側から垂下状に、トラップ部１４ａを備えた排水管１４が設けられており、排水管１４の下流端は、図示しない下水管等に接続されるものである。
【００２０】
また、排水管１４の上端側には、オーバーフロー口１４ｂが形成されており、このオーバーフロー口１４ｂから、中水タンク１５内に溜められた水のオーバーフローした分が、排水管１４内に排出されるように構成されている。
また、中水タンク１５内には、底側から上方に向かって汲み上げ用パイプ１６が設けられており、汲み上げ用パイプ１６の上端は、中水汲み上げ供給機１７のポンプに接続されている。
【００２１】
また、この中水汲み上げ供給機１７には、前記コンポストボックス６内に設けられた装置で抽出された野菜等の生ゴミの栄養素が通るエキス供給路１８が連結されており、エキス供給路１８を通り栄養素が中水汲み上げ供給機１７内に供給されるように構成されている。
なお、エキス供給路１８を通る栄養素の量が多すぎる場合は前記排水管１４に排出されるように構成されている。
【００２２】
また、中水汲み上げ供給機１７には、供給水路２０が接続されており、この供給水路２０は、パイプフレーム２を構成する複数の水平パイプ２ｂ内を通り複数のプランター２１，２１，２１に接続されており、供給水路２０内を通り、中水タンク１５内の水と生ゴミからの栄養素が複数のプランター２１，２１，２１に供給されるように構成されている。
即ち、中水汲み上げ供給機１７のポンプが作動することにより、汲み上げ用パイプ１６を通し中水タンク１５内の中水が吸い上げられて、栄養素を含有した状態で、供給水路２０を通り各プランター２１，２１内に供給されるものである。
【００２３】
各プランター２１，２１，２１は、上段の水平パイプ２ｂ及び中段の水平パイプ２ｂ上に、着脱可能あるいは引き出し可能に置かれており、それぞれのプランター２１の底側には自動弁２１ａが設けられて、各プランター２１を持ち上げた時に、この自動弁２１ａが閉止されて内部の水がこぼれ出さないように構成されている。なお、各プランター２１を水平パイプ２ｂ上に取り付けた時は、自動弁２１ａが開いて、供給水路２０から各プランター２１，２１へ水が供給される。
また、この自動弁２１ａは、プランター２１内に所定水位まで水が溜まると、前記中水汲み上げ供給機１７に指令信号を出力して、中水汲み上げ供給機１７のポンプを停止させることができるように構成されている。
【００２４】
本例では、上段及び中段に５個のプランター２１，２１，２１が配設されており、それぞれのプランター２１内で食材となる野菜を水耕栽培により育成させることができ、適宜プランターを取り出して植物の入れ替え等を行うことができるように構成されている。
なお、この植物の育成状態は、上方の透明天板３を通して、上方から見ることができ、透明天板３上で調理を行う際等にも、下方の植物を良好に視認でき、植物の成長を楽しみながら調理を行うことができるものである。
【００２５】
なお、下段の水平パイプ２ｂ上には、下段プランター２２，２２が、例えば３個配設されており、この下段プランター２２は、上下に深いプランターで構成され、内部に土を入れて、土により植物を育成させることができるように構成されており、例えばトマトやその他果実等の育成も可能である。
なお、前記コンロ４の下方側には、３段にステンレス製の棚２４，２４，２４が設けられており、それぞれの棚２４上に調理器具を収納させておくことができるものである。
【００２６】
なお、本例では、上段及び中段に配設されているプランター２１，２１、及び下段に配設されている下段プランター２２で育成される植物に光合成を行わせるために、水平パイプ２ｂに複数のＬＥＤ（光源）２３，２３，２３が設けられており、例えばこのＬＥＤは超光輝度の波長が５６０ナノメートル程度のものが用いられ、各ＬＥＤ２３，２３，２３には電線を介して電力が供給されるように構成されている。
【００２７】
従って、複数のＬＥＤ２３，２３からの光で良好に植物を育成させることができ、太陽光が不足する場所でも、植物を育成させることができるため、この流し台１の住宅内での設置場所の自由度が向上するものとなる。
なお、水平パイプに設けられた複数のＬＥＤ２３から発せられる熱は、水平パイプ２ｂ内が供給水路２０となっているため、内部を流れる水により良好に冷却することができるものとなる。
【００２８】
このように、本例の流し台１では、上部シンク５内でキレイな野菜を洗い、この排水を浄水器９を通して流出口１０から下部シンク１１内に入れて、下部シンク１１内では、例えば泥の付いた野菜等を洗うことができ、下部シンク１１で使用した水を浄水器１２を通して浄化して、下部の中水タンク１５内に溜めることができ、中水タンク１５内に溜めた水を中水汲み上げ供給機１７のポンプを作動させて、汲み上げ用パイプ１６から供給水路２０を通し、複数のプランター２１内に導入して、複数のプランター２１内で水耕栽培により植物を育成させることができ、しかも、コンポストボックス６内で野菜の生ゴミなどを搾って、栄養素のエキスを搾り出し、栄養素をエキス供給路１８を通して供給水路２０内に混入させて使用することができ、植物育成用の肥料として生ゴミを使用することができ、また、生ゴミを排出する手間を省くことができるものとなる。
【００２９】
植物の育成をプランター２１，２２内で行うことで、キッチン周りに緑を多くすることができ、キッチン空間を緑の多いさわやかな空間とすることができ、また、自分で育てた安心安全な食材を確保することができ、しかも、日常生活の中で植物の成長を見る喜びを感じることができるものとなる。更に、水の節約にもなり、水の有効利用を図れるものとなる。
【図面の簡単な説明】
【００３０】
【図１】流し台の斜視構成図である。
【図２】流し台の平面構成図である。
【図３】流し台の正面構成図である。
【図４】流し台の内部配管構造を示す要部拡大正面構成図である。
【図５】流し台の骨組みを構成するパイプフレームの斜視構成図である。
【符号の説明】
【００３１】
１  流し台
２  パイプフレーム
２ａ  垂直パイプ
２ｂ  水平パイプ
３  透明天板
４  コンロ
４ａ  吸煙口
５  上部シンク
５ａ  凹部
６  コンポストボックス
６ａ  蓋
７  蛇口
８  排水口
９  浄水器
９ａ  ろ過フィルター
１０  流出口
１１  下部シンク
１２  浄水器
１２ａ  ろ過フィルター
１２ｂ  落水口
１３  支柱
１４  排水管
１４ａ  トラップ部
１４ｂ  オーバーフロー口
１５  中水タンク
１６  汲み上げ用パイプ
１７  中水汲み上げ供給機
１８  エキス供給路
１９  水路
２０  供給水路
２１  プランター
２１ａ  自動弁
２２  下段プランター
２３  ＬＥＤ
２４  棚
【図１】
2006102276.tif 000003
【図２】
2006102276.tif 000004
【図３】
2006102276.tif 000005
【図４】
2006102276.tif 000006
【図５】
2006102276.tif 000007